(57)【要約】【課題】通信端末の状況に応じた帯域および通信方式の組み合わせを利用可能にする。【解決手段】複数の基準に基づいて、帯域２ａおよび通信方式２ｂの複数の組み合わせの中から、最適な組み合わせを決定する帯域方式決定部１５と、当該組み合わせが基地局２００により選択されるように、環境情報１ａを補正する情報補正部１６と、当該補正された環境情報１ｂを、基地局２００に送信する送信部４１〜４ｎとを備えた。【選択図】図１
2014036338.tif 000002
【特許請求の範囲】
【請求項１】
電波を受信する環境を示す環境情報を基地局に送信し、当該環境情報に基づいて当該基地局により選択された帯域において、当該基地局により選択された通信方式にしたがって通信する通信装置であって、
複数の基準に基づいて、帯域および通信方式の複数の組み合わせの中から、最適な組み合わせを決定する決定手段と、
前記決定手段によって決定された組み合わせが前記基地局により選択されるように、前記環境情報を補正する補正手段と、
前記補正手段によって補正された環境情報を、前記基地局に送信する送信手段とを備えたことを特徴とする通信装置。
【請求項２】
所定の帯域において所定の通信方式にしたがう通信が、所定の時間を超過しているか否かを判定する第１の判定手段をさらに備え、
前記決定手段は、前記第１の判定手段によって判定された結果を前記複数の基準の１つとして用いることによって、前記帯域および通信方式の複数の組み合わせの中から、前記所定の帯域および所定の通信方式の組み合わせとは異なる帯域および通信方式の組み合わせに変更することを特徴とする請求項１に記載の通信装置。
【請求項３】
電波を受信する環境に基づいて、前記基地局との通信のために消費される電流を推定する推定手段をさらに備え、
前記決定手段は、前記推定手段によって推定された電流を前記複数の基準の１つとして用いることによって、前記帯域および通信方式の複数の組み合わせの中から、前記所定の帯域および所定の通信方式の組み合わせとは異なる帯域および通信方式の組み合わせに変更することを特徴とする請求項１または２に記載の通信装置。
【請求項４】
前記帯域および通信方式の複数の組み合わせのそれぞれの評価を、前記複数の基準に含まれるそれぞれの基準にしたがって見積る見積手段と、
前記見積手段によって見積られた評価のそれぞれを統合する統合手段とをさらに備え、
前記決定手段は、前記統合手段によって統合された結果に基づいて、前記帯域および通信方式の複数の組み合わせの中から、最適な組み合わせを決定することを特徴とする請求項１から３のいずれか１項に記載の通信装置。
【請求項５】
前記統合手段は、前記見積手段によって見積られた評価のそれぞれに重み付けを行い、重み付けられた評価のそれぞれを統合することを特徴とする請求項４に記載の通信装置。
【請求項６】
前記基地局による所定の通信領域における通信の品質と、当該通信領域とは異なる他の通信領域における通信の品質との差を検出する検出手段をさらに備え、
前記補正手段は、前記検出手段によって検出された差によって、前記環境情報を補正しても前記決定手段によって決定された組み合わせが前記基地局により選択されないと判定できる場合、当該環境情報を補正しないことを特徴とする請求項１から５のいずれか１項に記載の通信装置。
【請求項７】
前記環境情報に基づいて、前記基地局との通信が所定の品質を下回っているか否かを判定する第２の判定手段をさらに備え、
前記決定手段は、前記第２の判定手段によって下回っていると判定された場合、最適な組み合わせを決定することを特徴とする請求項１から６のいずれか１項に記載の通信装置。
【請求項８】
請求項１から７のいずれか１項に記載の通信装置から環境情報を受信し、当該環境情報に基づいて当該通信装置の通信に使用される帯域および通信方式の組み合わせを選択することを特徴とする基地局。
【請求項９】
請求項１から７のいずれか１項に記載の通信装置と、請求項８に記載の基地局とを含むことを特徴とする通信システム。
【請求項１０】
電波を受信する環境を示す環境情報を基地局に送信し、当該環境情報に基づいて当該基地局により選択された帯域において、当該基地局により選択された通信方式にしたがって通信する通信装置の制御方法であって、
複数の基準に基づいて、帯域および通信方式の複数の組み合わせの中から、最適な組み合わせを決定する決定ステップと、
前記決定ステップにおいて決定された組み合わせが前記基地局により選択されるように、前記環境情報を補正する補正ステップと、
前記補正ステップにおいて補正された環境情報を、前記基地局に送信する送信ステップとを含むことを特徴とする通信装置の制御方法。
【請求項１１】
請求項１から７のいずれか１項に記載の通信装置を動作させるための制御プログラムであって、コンピュータを前記各手段として機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、基地局により選択された帯域および通信方式にしたがって通信する通信装置等に関するものである。
【背景技術】
【０００２】
無線通信技術が進歩するに伴って、複数の周波数帯域および複数の通信方式（例えばＧＳＭ（登録商標）、ＷＣＤＭＡ、ＬＴＥなど）を利用可能な通信端末が、広く普及している。こうしたマルチモード・マルチバンドの通信に対応した通信端末において、より効率的な通信を実現することを目的として、通信方法に関する多くの技術が開発されている。
【０００３】
例えば、下記の特許文献１には、無線移動局に機能を追加することなく、不必要なハンドオーバーをなくすことのできる無線基地局システム等が開示されている。下記の特許文献２には、通信システムにおいて第１および第２のセルにわたってマルチバンドネットワークに関連付けられた周波数帯域を割り振る方法が開示されている。下記の特許文献３には、無線通信システムにおけるセル再選択の方法が開示されている。
【先行技術文献】
【特許文献】
【０００４】
【特許文献１】特開２０１０−２１２９８８号公報（２０１０年９月２４日公開）
【特許文献２】特開２００６−２１１６４５号公報（２００６年８月１０日公開）
【特許文献３】特開２０１０−５２１８７６号公報（２０１０年６月２４日公開）
【発明の概要】
【発明が解決しようとする課題】
【０００５】
上記通信端末が利用可能な帯域および通信方式の複数の組み合わせのうち、当該通信端末が通信に用いる上記組み合わせは、基地局によって選択される。このとき、原則として端末による受信品質が最も高い上記組み合わせが選択され、当該端末に基地局から通知される。
【０００６】
すなわち、上記組み合わせの選択には、「通信端末と基地局との通信が途切れない」ことを重視するという基地局側の都合のみが反映され、端末側の都合は反映されない。無線通信技術では、通信端末が利用する上記組み合わせを、基地局が集中管理するという構造が採用されているため、通信端末の詳細な状況を基地局が把握した上で、当該状況に応じた上記組み合わせを多数の通信端末に当該基地局が割り当てることは困難だからである。
【０００７】
一方で、上記組み合わせが基地局側の都合のみで当該基地局によって選択されると、通信端末がマルチモード・マルチバンドの通信に対応している利点を、当該通信端末は十分に活用できない。
【０００８】
例えば、同一の帯域および通信方式の組み合わせによる通信を継続することによって、同一の通信回路を利用し続けると、継続する時間に比例して端末温度が上昇する。したがって、この状況例においては、受信品質が劣っていても端末温度を低く保てる組み合わせに、当該通信端末が能動的に変更できる（すなわち、端末側の都合を当該基地局による上記組み合わせの選択に反映させる）ことが好ましい。
【０００９】
しかし、上記したように、通信端末は当該端末側の都合に合わせて上記組み合わせを変更できないため、マルチモード・マルチバンドの通信に対応している利点は、単に「基地局側の都合に幅広く対応できる」という程度の意味しか持たない。上記の特許文献１〜３に開示された技術、およびこれまでに開発された他の技術は、いずれも「端末側の都合を反映させる」ことを目的としておらず、上記問題点を有効に解決可能なものではない。
【００１０】
本発明は、上記の問題点に鑑みてなされたものであり、その目的は、基地局による帯域および通信方式の組み合わせの選択に通信装置側の都合を反映させることにより、当該通信装置の状況に応じた上記組み合わせを利用可能にする通信装置等を提供することである。
【課題を解決するための手段】
【００１１】
上記の課題を解決するために、本発明の通信装置は、
（１）電波を受信する環境を示す環境情報を基地局に送信し、当該環境情報に基づいて当該基地局により選択された帯域において、当該基地局により選択された通信方式にしたがって通信する通信装置であって、
（２）複数の基準に基づいて、帯域および通信方式の複数の組み合わせの中から、最適な組み合わせを決定する決定手段と、
（３）前記決定手段によって決定された組み合わせが前記基地局により選択されるように、前記環境情報を補正する補正手段と、
（４）前記補正手段によって補正された環境情報を、前記基地局に送信する送信手段とを備えたことを特徴としている。
【００１２】
また、上記の課題を解決するために、本発明の通信装置の制御方法は、
（１）電波を受信する環境を示す環境情報を基地局に送信し、当該環境情報に基づいて当該基地局により選択された帯域において、当該基地局により選択された通信方式にしたがって通信する通信装置の制御方法であって、
（２）複数の基準に基づいて、帯域および通信方式の複数の組み合わせの中から、最適な組み合わせを決定する決定ステップと、
（３）前記決定ステップにおいて決定された組み合わせが前記基地局により選択されるように、前記環境情報を補正する補正ステップと、
（４）前記補正ステップにおいて補正された環境情報を、前記基地局に送信する送信ステップとを含むことを特徴としている。
【００１３】
上記の構成によれば、本発明の通信装置および当該装置の制御方法は、複数の基準に基づいて、帯域および通信方式の複数の組み合わせの中から、最適な組み合わせを決定する。すなわち、上記通信装置等は、基地局が上記組み合わせを選択するための基準に、他の基準を追加した複数の基準に基づいて、当該通信装置にとって好ましい上記組み合わせを決定できる。
【００１４】
そして、上記通信装置等は、上記決定された組み合わせが基地局により選択されるように環境情報を補正し、補正した環境情報を基地局に送信する。すなわち、帯域および通信方式の組み合わせは、上記環境情報に基づいて基地局により選択されるところ、上記通信装置等は、当該通信装置にとって好ましい組み合わせが基地局により選択されるように、環境情報を補正できる。
【００１５】
したがって、本発明の通信装置および当該装置の制御方法は、基地局による帯域および通信方式の組み合わせの選択に通信装置側の都合を反映させることができ、当該通信装置の状況に応じた上記組み合わせを利用可能にすることができる。
【００１６】
また、本発明の通信装置は、
（１）所定の帯域において所定の通信方式にしたがう通信が、所定の時間を超過しているか否かを判定する第１の判定手段をさらに備え、
（２）前記決定手段は、前記第１の判定手段によって判定された結果を前記複数の基準の１つとして用いることによって、前記帯域および通信方式の複数の組み合わせの中から、前記所定の帯域および所定の通信方式の組み合わせとは異なる帯域および通信方式の組み合わせに変更することを特徴としている。
【００１７】
上記の構成によれば、上記通信装置は、所定の帯域において所定の通信方式にしたがう通信が、所定の時間を超過しているか否かを判定する。すなわち、上記通信装置は、同一の帯域および通信方式の組み合わせによる通信を、所定の時間以上に継続しているか否かを判定できる。
【００１８】
そして、上記通信装置は、当該結果を複数の基準の１つとして用いることによって、帯域および通信方式の複数の組み合わせの中から、所定の帯域および所定の通信方式の組み合わせとは異なる帯域および通信方式の組み合わせに変更する。
【００１９】
したがって、本発明の通信装置は、同一の帯域および通信方式の組み合わせによる通信を、所定の時間以上に継続することによって発生する問題（例えば、端末温度が上昇するなど）を、回避できる。すなわち、上記通信装置は、当該通信端末の状況に応じた上記組み合わせを利用可能にすることができる。
【００２０】
また、本発明の通信装置は、
（１）電波を受信する環境に基づいて、前記基地局との通信のために消費される電流を推定する推定手段をさらに備え、
（２）前記決定手段は、前記推定手段によって推定された電流を前記複数の基準の１つとして用いることによって、前記帯域および通信方式の複数の組み合わせの中から、前記所定の帯域および所定の通信方式の組み合わせとは異なる帯域および通信方式の組み合わせに変更することを特徴としている。
【００２１】
上記の構成によれば、上記通信装置は、電波を受信する環境に基づいて、前記基地局との通信のために消費される電流を推定する。すなわち、上記消費される電流は上記通信装置の送信電力に対して非線形に増加するところ、上記通信装置は、当該消費される電流と送信電力との関係に基づいて、当該消費される電流を推定できる。
【００２２】
そして、上記通信装置は、推定された電流を複数の基準の１つとして用いることによって、帯域および通信方式の複数の組み合わせの中から、所定の帯域および所定の通信方式の組み合わせとは異なる帯域および通信方式の組み合わせに変更する。
【００２３】
したがって、本発明の通信装置は、上記消費される電流を節約できる帯域および通信方式の組み合わせによって、基地局と通信することができる。すなわち、上記通信装置は、当該通信端末の状況に応じた上記組み合わせを利用可能にすることができる。
【００２４】
また、本発明の通信装置は、
（１）前記帯域および通信方式の複数の組み合わせのそれぞれの評価を、前記複数の基準に含まれるそれぞれの基準にしたがって見積る見積手段と、
（２）前記見積手段によって見積られた評価のそれぞれを統合する統合手段とをさらに備え、
（３）前記決定手段は、前記統合手段によって統合された結果に基づいて、前記帯域および通信方式の複数の組み合わせの中から、最適な組み合わせを決定することを特徴としている。
【００２５】
上記の構成によれば、上記通信装置は、帯域および通信方式の複数の組み合わせのそれぞれの評価を、複数の基準に含まれるそれぞれの基準にしたがって見積り、当該評価のそれぞれを統合する。すなわち、上記通信装置は、基地局が上記組み合わせを選択するための基準だけでなく、他の基準を追加した複数の基準に基づいて当該通信装置にとっての評価を見積り、当該複数の基準をすべて加味するように評価を統合する。
【００２６】
そして、上記通信装置は、統合された結果に基づいて、帯域および通信方式の複数の組み合わせの中から、最適な組み合わせを決定する。すなわち、上記通信装置は、「複数の基準」に基づいて、上記組み合わせを決定していると言える。
【００２７】
したがって、本発明の通信装置は、当該通信装置のさまざまな側面（例えば、通信の品質、端末温度、消費される電流など）に基づいて、上記組み合わせを基地局に選択させることができる。すなわち、上記通信装置は、当該通信端末の状況に応じた上記組み合わせを利用可能にすることができる。
【００２８】
また、本発明の通信装置では、
（１）前記統合手段は、前記見積手段によって見積られた評価のそれぞれに重み付けを行い、重み付けられた評価のそれぞれを統合することを特徴としている。
【００２９】
上記の構成によれば、上記通信装置は、帯域および通信方式の組み合わせを選択するための基準に、軽重をつけて評価を統合することができる。
【００３０】
したがって、本発明の通信装置および当該装置の制御方法は、基地局による帯域および通信方式の組み合わせの選択に通信装置側の都合を、よりきめ細かく反映させることができ、当該通信装置の状況に応じた上記組み合わせを利用可能にすることができる。
【００３１】
また、本発明の通信装置は、
（１）前記基地局による所定の通信領域における通信の品質と、当該通信領域とは異なる他の通信領域における通信の品質との差を検出する検出手段をさらに備え、
（２）前記補正手段は、前記検出手段によって検出された差によって、前記環境情報を補正しても前記決定手段によって決定された組み合わせが前記基地局により選択されないと判定できる場合、当該環境情報を補正しないことを特徴としている。
【００３２】
上記の構成によれば、上記通信装置は、上記品質の差によって環境情報を補正しても決定された組み合わせが基地局により選択されないと判定できる場合、当該環境情報を補正しない。したがって、本発明の通信装置は、冗長な処理の実行を回避することができる。
【００３３】
また、本発明の通信装置は、
（１）前記環境情報に基づいて、前記基地局との通信が所定の品質を下回っているか否かを判定する第２の判定手段をさらに備え、
（２）前記決定手段は、前記第２の判定手段によって下回っていると判定された場合、最適な組み合わせを決定することを特徴としている。
【００３４】
上記の構成によれば、上記通信装置は、環境情報に基づいて、基地局との通信が所定の品質を下回っているか否かを判定し、下回っていると判定された場合、最適な組み合わせを決定する。
【００３５】
したがって、本発明の通信装置は、通信の品質が優れている場合は、他の組み合わせに変更しないようにすることができる。
【００３６】
また、本発明の基地局は、
（１）上記通信装置から環境情報を受信し、当該環境情報に基づいて当該通信装置の通信に使用される帯域および通信方式の組み合わせを選択することを特徴としている。
【００３７】
したがって、本発明の基地局は、上記通信装置と同様の効果を奏する。
【００３８】
また、本発明の通信システムは、
（１）上記通信装置と、
（２）上記基地局とを含むことを特徴としている。
【００３９】
したがって、本発明の通信システムは、上記通信装置および基地局と同様の効果を奏する。
【００４０】
なお、前記通信装置はコンピュータによって実現してもよい。この場合には、コンピュータを前記通信装置の各手段として動作させることにより、前記通信装置をコンピュータで実現させる制御プログラム、およびこれを記録したコンピュータ読み取り可能な記録媒体も本発明の範疇に入る。
【発明の効果】
【００４１】
以上のように、本発明の通信装置は、複数の基準に基づいて、帯域および通信方式の複数の組み合わせの中から、最適な組み合わせを決定する決定手段と、前記決定手段によって決定された組み合わせが前記基地局により選択されるように、前記環境情報を補正する補正手段と、前記補正手段によって補正された環境情報を、前記基地局に送信する送信手段とを備えた構成である。
【００４２】
また、本発明の通信装置の制御方法は、複数の基準に基づいて、帯域および通信方式の複数の組み合わせの中から、最適な組み合わせを決定する決定ステップと、前記決定ステップにおいて決定された組み合わせが前記基地局により選択されるように、前記環境情報を補正する補正ステップと、前記補正ステップにおいて補正された環境情報を、前記基地局に送信する送信ステップとを含む構成である。
【００４３】
したがって、本発明の通信装置および当該装置の制御方法は、基地局による帯域および通信方式の組み合わせの選択に通信装置側の都合を反映させることができ、当該通信装置の状況に応じた上記組み合わせを利用可能にすることができるという効果を奏する。
【図面の簡単な説明】
【００４４】
【図１】本発明の第１の実施の形態に係るスマートフォンの要部構成を示すブロック図である。
【図２】本発明の第１の実施の形態に係る通信システムの構成を表した模式図である。
【図３】第３世代（３Ｇ）通信における環境情報の内容を示す表であり、（ａ）はＲＳＣＰと呼ばれる情報、（ｂ）はＥｃ／Ｎ０と呼ばれる情報である。
【図４】帯域ａ〜ｄおよび通信方式Ａ〜Ｄの組み合わせのそれぞれで通信を行った場合の、受信品質（縦軸）と端末温度（横軸）との関係を示した散布図である。
【図５】図１に示したスマートフォンが環境情報を補正することを示した模式図であり、（ａ）は、当該スマートフォンと基地局のセルＡ〜Ｃとの関係を示し、（ｂ）は、当該スマートフォンによる電波の受信品質の、通信時間に対する時系列変化を示すグラフである。
【図６】図１に示したスマートフォンが実行する処理の一例を示すフローチャートである。
【図７】本発明の第２の実施の形態に係るスマートフォンの要部構成を示すブロック図である。
【図８】端末に要求される送信電力に対する消費電流のグラフを示す。
【図９】図７に示したスマートフォンが実行する処理の一例を示すフローチャートである。
【図１０】本発明の第３の実施の形態に係るスマートフォンの要部構成を示すブロック図である。
【図１１】受信品質および消費電流という複数の基準のそれぞれで、通信方式ＡまたはＢにしたがう帯域ａまたはｂにおける通信を評価し、それぞれの評価を統合することによって、帯域および通信方式の組み合わせを総合的に評価する様子を示す模式図である。
【図１２】図１０に示したスマートフォンが実行する処理の一例を示すフローチャートである。
【発明を実施するための形態】
【００４５】
以下では、ある部材が複数存在することを明示するために、同一の部材番号にアルファベットをさらに付して当該部材を示すことがある。例えば、「環境情報１ａ」、「環境情報１ｂ」などと示す。また、上記アルファベットを省略し、当該部材を総称することがある。例えば、環境情報１ａと環境情報１ｂとを、「環境情報１」と総称することがある。
【００４６】
ある部材が互いに関連していることを明示するために、異なる部材名に同一の部材番号を付し、アルファベットをさらに付して当該異なる部材名を有するそれぞれの部材を示すことがある。例えば、「帯域２ａ」、「通信方式２ｂ」などと示す。
【００４７】
〔第１の実施の形態〕
図１〜図６に基づいて、本発明の第１の実施の形態を詳細に説明する。
【００４８】
〔通信システム３００の概要〕
図２に基づいて、通信システム３００の構成を説明する。図２は、通信システム３００の構成を表した模式図である。図２に示すように、通信システム３００は、スマートフォン１００と基地局２００とを含む。
【００４９】
スマートフォン（通信装置）１００は、電波４を受信する環境を示す環境情報１ｂを基地局２００に送信し、当該環境情報に基づいて当該基地局により選択された帯域２ａにおいて、当該基地局により選択された通信方式２ｂにしたがって通信する通信装置である。
【００５０】
なお、スマートフォン１００と同等の機能は、携帯電話、パーソナルコンピュータ、タブレット型端末などでも実現できる。すなわち、基地局２００と通信可能な電子機器でありさえすれば、当該電子機器はスマートフォンに限られない。
【００５１】
基地局２００は、スマートフォン１００から環境情報１ｂを受信し、当該環境情報に基づいて当該スマートフォンの通信に使用される帯域２ａおよび通信方式２ｂの組み合わせを選択する機器である。
【００５２】
図３に基づいて、環境情報１を説明する。図３は、第３世代（３Ｇ）通信における環境情報（報告値）の内容を示す表であり、（ａ）はＲＳＣＰと呼ばれる情報、（ｂ）はＥｃ／Ｎ０と呼ばれる情報である。
【００５３】
図３の（ａ）および（ｂ）に示すように、環境情報１は、スマートフォン１００による電波４の受信品質（通信の品質）を示す。スマートフォン１００は、環境情報１を基地局２００に送信することにより、基地局２００に現在の電波４の受信品質を報告できる。なお、ＬＴＥの場合、環境情報１はＲＳＲＰまたはＲＳＲＱ、ＧＳＭの場合、環境情報１はＲＸＬｅｖｅｌまたはＲＸＱｕａｌｉｔｙである。
【００５４】
ここで、環境情報１は、所定の範囲の誤差が許容されていることに注意する（図３の表中「Accuracy[dB]」の欄）。すなわち、スマートフォン１００は、許容された誤差の範囲内（図３の（ａ）では通常の条件において±６ｄＢ）で任意の受信品質を報告できる。
【００５５】
基地局２００は、スマートフォン１００から受信した環境情報１に基づき、当該スマートフォンが当該基地局との通信に使用すべき帯域および通信方式の組み合わせを決定し、当該スマートフォンに通知する。このとき、基地局２００は、主に上記受信品質（図３の例によれば、ＲＳＣＰおよびＥｃ／Ｎ０）の高い帯域および通信方式の組み合わせを選択する（基地局２００は、回線の混雑状況なども考慮して上記組み合わせを選択する場合がある）。言い換えれば、基地局２００は、スマートフォン１００との通信が途切れないことを重視し、上記組み合わせを選択する。
【００５６】
なお、環境情報１は所定の通信規格に定められたフォーマットに則った情報であることが好ましいが、必ずしもこれに限られない。例えば、環境情報１は、受信品質を直接的に示す数値（例えば、電波の電界強度、ビット誤り率など）、受信品質のレベルを段階的に示すように当該数値から算出される記号情報（例えば、「強」、「中」、「弱」など）、受信品質を示す数値に対して演算を行うことによって得られる数値など、受信品質を定量化できる情報が含まれてさえすれば、どのような形式であってもよい。
【００５７】
〔スマートフォン１００の動作の概要〕
図４および図５に基づいて、スマートフォン１００の動作を概説する。図４は、帯域ａ〜ｄおよび通信方式Ａ〜Ｄの組み合わせのそれぞれで通信を行った場合の、受信品質（縦軸）と端末温度（横軸）との関係を示した散布図である。
【００５８】
図５は、スマートフォン１００が環境情報１ａを補正することを示した模式図であり、（ａ）は、スマートフォン１００と基地局２００のセルＡ〜Ｃとの関係を示し、（ｂ）は、スマートフォン１００による電波４の受信品質の、通信時間に対する時系列変化を示すグラフである。
【００５９】
図４に示すように、受信品質という単一の基準で帯域および通信方式の組み合わせをそれぞれ評価した場合、通信方式Ａにしたがう帯域ａにおける通信が最適である。したがって、基地局２００は帯域ａおよび通信方式Ａの組み合わせを決定し、当該スマートフォンに通知する。
【００６０】
しかし、例えばスマートフォン１００の温度（端末温度）を評価の基準に追加した場合（すなわち、受信品質および端末温度という「複数の基準」で上記組み合わせを評価した場合）、通信方式Ｂにしたがって帯域ｂで通信を行うことが、スマートフォン１００にとって最適となる場合が考えられる。例えば、通信方式Ａにしたがう帯域ａにおける通信を長時間継続したことにより、当該通信に使用する回路（例えばパワーアンプなど）の温度上昇が著しい場合、受信品質が劣っていても端末温度を低く保てる組み合わせが、スマートフォン１００にとっては好ましいと考えられる。
【００６１】
そこで、スマートフォン１００は、「帯域および通信方式の組み合わせによる通信を継続することによって、同一の回路を利用し続けると、当該継続する時間に比例して端末温度が上昇する」という事実に基づいて、上記組み合わせを継続する時間を監視する。
【００６２】
そして、スマートフォン１００は、通信方式Ａにしたがう帯域ａにおける通信が所定の時間以上に継続した場合、「許容された誤差の範囲内で任意の受信品質を報告できる」という性質（図３を参照して前述）を利用して、通信方式Ａにしたがう帯域ａにおける通信の品質よりも、通信方式Ｂにしたがう帯域ｂにおける通信の品質の方が良くなるように、上記範囲内で環境情報１ａを環境情報１ｂに補正する（図５の（ｂ）参照）。そして、スマートフォン１００は、当該補正した後の環境情報１ｂを基地局２００に送信する。
【００６３】
基地局２００は、通常どおりに受信品質のみを基準として上記組み合わせを決定するため、環境情報１ｂに基づいて、帯域ｂおよび通信方式Ｂの組み合わせを選択してスマートフォン１００に通知する。
【００６４】
すなわち、図５の（ａ）に示すように、例えばサービングセルがセルＡであった場合、環境情報１ａを環境情報１ｂに補正することにより、セルＢにハンドオーバーおよびセルリセレクションすることが可能となる（「ハンドオーバー」とは、移動通信制御局が基地局を切り替えて通信が継続できるようにすることをいい、「セルリセレクション」とは、端末がサービングセルを再選択することをいう）。
【００６５】
したがって、スマートフォン１００は、同一の回路を長時間使用することによる過度の温度上昇を防ぐ、または分散させることができる。これにより、スマートフォン１００は、端末温度を低く保てる上記組み合わせで通信を行うことができるため、例えばユーザが低温火傷することを防止したり、温度上昇による不安定な動作を回避したりすることができる。
【００６６】
なお、スマートフォン１００の周辺のセルに対して受信品質を確認した結果がすでに存在する場合、サービングセルの受信品質と周辺のセルの受信品質との差が大きいことにより、上記補正を適用しても品質の順位を入れ替えることができないと判定できるときは、スマートフォン１００は当該環境情報を補正しなくともよい。
【００６７】
また、上記の場合において、スマートフォン１００が環境情報を補正して品質の順位を入れ替えても、基地局２００によって選択される帯域および通信方式のうち少なくとも一方が、現在利用している帯域および通信方式の少なくとも一方と同一となるとき、スマートフォン１００は、当該環境情報を補正しなくともよい。
【００６８】
以上の概要をまとめると、スマートフォン１００は次の（１）〜（３）のステップで動作する。すなわち、スマートフォン１００は、
（１）複数の基準（例えば、受信品質および端末温度）に基づいて、帯域２ａおよび通信方式２ｂの複数の組み合わせの中から、最適な組み合わせを決定し、
（２）当該組み合わせが基地局２００により選択されるように、通信規格で許容される誤差の範囲内で環境情報１ａを補正し、
（３）補正された環境情報１ｂを、基地局２００に送信する。
【００６９】
これにより、「スマートフォン１００と基地局２００との通信が途切れないこと」という基地局側の都合だけでなく、端末側の都合（例えば、「温度上昇による機器の負担を軽減すること」）を、当該基地局による上記組み合わせの選択に反映させることができ、当該スマートフォンの状況に応じた上記組み合わせを利用可能にすることができる。
【００７０】
〔スマートフォン１００の構成〕
図１に基づいて、スマートフォン１００の構成を説明する。なお、記載の簡潔性を担保する観点から、本実施の形態に直接関係のない部分は構成の説明およびブロック図から省略した。ただし、実施の実情に則して、スマートフォン１００は当該省略した構成を含んでもよい。
【００７１】
以下、アンテナ切替部５０、通信処理部２０（通信部２１〜２ｎ、受信部３１〜３ｎ、送信部４１〜４ｎ）、制御部１０（受信状況評価部１１、品質判定部１２、品質差検出部１３、時間判定部１４、帯域方式決定部１５、情報補正部１６）の順序で各構成が担う機能を説明する。
【００７２】
アンテナ切替部５０は、通信部２１〜２ｎのうち通信を行っている通信部に対応するアンテナに切り替え、基地局２００からの電波４を受信する。例えば、アンテナ切替部５０は、スイッチおよびデュプレクサを含む。アンテナ切替部５０は、アンテナによって受信された電波４を電波信号５ａに変換し、当該電波信号を当該アンテナに対応する受信部に出力する。
【００７３】
通信処理部２０は、受信部３１〜３ｎおよび送信部４１〜４ｎが送受信した信号を処理するものであり、例えばＲＦ ＩＣおよびＢＢ ＩＣである。通信処理部２０は、通信部２１〜２ｎを含む。なお、通信部２１〜２ｎの表記は、通信処理部２０が通信部をｎ（ｎは１以上の整数）個含むことを示す（受信部３１〜３ｎ、送信部４１〜４ｎの表記も同様である）。
【００７４】
通信部２１〜２ｎは、所定の帯域２ａおよび通信方式２ｂで基地局２００と通信する。上記通信方式は、ＷＣＤＭＡ、ＬＴＥ、ＧＳＭなど、任意の方式でよく、特定の方式に限定されない。
【００７５】
なお、それぞれの通信部は互いに異なる帯域２ａおよび通信方式２ｂの組み合わせで通信を行う。すなわち、「帯域２ａおよび通信方式２ｂの複数の組み合わせ」は、それぞれ通信部２１〜２ｎに対応する。通信部２１〜２ｎは、受信部３１〜３ｎと送信部４１〜４ｎとをそれぞれ含む。
【００７６】
受信部３１〜３ｎは、アンテナ切替部５０から入力された電波信号５ａに所定のフィルタを適用し、フィルタ適用後の電波信号５ｂを受信状況評価部１１に出力する。
【００７７】
送信部（送信手段）４１〜４ｎは、情報補正部１６から補正された環境情報１ｂが入力されると、当該環境情報を基地局２００に送信する。それぞれの送信部には、環境情報１ｂを含む送信信号を、所定のレベルまで増幅するパワーアンプなどが含まれる。
【００７８】
制御部（制御手段）１０は、スマートフォン１００の各種機能を統括的に制御するものである。制御部１０は、複数の基準に基づいて、帯域および通信方式の組み合わせを変更する設定が行われているか否かを判定する。
【００７９】
なお、制御部１０の機能を中心とするスマートフォン１００のすべての機能は、例えばＲＡＭ（Random Access Memory）やフラッシュメモリなどの記憶素子に格納されたプログラムを、ＣＰＵ（Central Processing Unit）が実行することによって実現されてもよい（後で詳しく説明する）。制御部１０は、受信状況評価部１１、品質判定部１２、品質差検出部１３、時間判定部１４、帯域方式決定部１５、および情報補正部１６を含む。
【００８０】
受信状況評価部（評価手段）１１は、受信部３１〜３ｎから電波信号５ｂが入力されると、当該電波信号に基づいて電波４の受信品質を示す環境情報１ａ（図３参照）を生成し、生成した環境情報１ａを品質判定部１２に出力する。
【００８１】
品質判定部（第２の判定手段）１２は、環境情報１ａに基づいて、基地局２００との通信が所定の品質を下回っているか否かを判定する。具体的には、受信状況評価部１１から環境情報１ａが入力されると、品質判定部１２は、環境情報１ａが示す受信品質が所定のしきい値を下回っているか否かを判定する。下回っていると判定する場合、品質判定部１２は、当該環境情報を品質差検出部１３および帯域方式決定部１５に出力する。
【００８２】
言い換えれば、スマートフォン１００は、現在の通信の受信品質が所定の品質以上である場合は、ハンドオーバーおよびセルリセレクションを行わなくともよい。一方で、スマートフォン１００は、上記判定の結果にかかわらず、ハンドオーバーおよびセルリセレクションを行うようにしてもよい。
【００８３】
品質差検出部（検出手段）１３は、基地局２００による所定のセル（通信領域）における通信の品質と、当該セルとは異なる他のセルにおける通信の品質との差（品質差３）を検出する。具体的には、品質判定部１２から環境情報１ａが入力されると、品質差検出部１３は、現在のセルにおける電波４の受信品質と他のセルにおける受信品質との品質差３を計算し、計算した品質差３を情報補正部１６に出力する。
【００８４】
時間判定部（第１の判定手段）１４は、所定の帯域２ａにおいて所定の通信方式２ｂにしたがう通信が、所定の時間を超過しているか否かを判定する。具体的には、時間判定部１４は現在の通信が継続している時間を計測し、当該時間が所定の時間を超過すると、超過したことを示す判定結果７を帯域方式決定部１５に出力する。
【００８５】
帯域方式決定部（決定手段）１５は、複数の基準に基づいて、帯域２ａおよび通信方式２ｂの複数の組み合わせの中から、最適な組み合わせを決定する。
【００８６】
例えば、帯域方式決定部１５は、時間判定部１４によって判定された判定結果７を、上記複数の基準の１つとして用いる。具体的には、時間判定部１４から入力された判定結果７が所定の時間を超過していることを示す結果であった場合、帯域方式決定部１５は、現在の通信に使用している帯域２ａおよび所定の通信方式２ｂの組み合わせとは異なる帯域２ａおよび通信方式２ｂの組み合わせに変更する。
【００８７】
すなわち、所定の通信方式にしたがう所定の帯域における通信を長時間継続したことにより、当該通信に使用する回路の温度上昇が著しい場合など、受信品質が劣っていても端末温度を低く保てる組み合わせがスマートフォン１００にとっては好ましいと考えられる場合、帯域方式決定部１５は、通信に使用する帯域および通信方式の組み合わせを変更する。これは、帯域方式決定部１５が受信品質および端末温度という「複数の基準」に基づいて、上記組み合わせを決定していると言える。
【００８８】
なお、帯域方式決定部１５は、品質判定部１２によって下回っていると判定された場合、上記組み合わせを決定する。具体的には、品質判定部１２から環境情報１ａが入力された場合のみ上記組み合わせを決定し、当該組み合わせに係る帯域２ａおよび通信方式２ｂを情報補正部１６に出力する。
【００８９】
また、帯域方式決定部１５が決定する上記組み合わせは、１つであってもよいし複数であってもよい。すなわち、複数の基準に照らして、最適な組み合わせが複数存在する場合、帯域方式決定部１５は、当該複数の最適な組み合わせを情報補正部１６に出力する。このとき、情報補正部１６（後述）は、帯域方式決定部１５から入力されたそれぞれの組み合わせに対応するすべての環境情報１ａを補正し、送信部４１〜４ｎは、補正後のすべての環境情報１ｂを基地局２００に送信する。
【００９０】
情報補正部（補正手段）１６は、帯域方式決定部１５によって決定された組み合わせが基地局２００により選択されるように、通信規格で許容される誤差の範囲内で環境情報１ａを補正し、補正後の環境情報１ｂを送信部４１〜４ｎに出力する。
【００９１】
ただし、情報補正部１６は、品質差検出部１３によって検出された品質差３によって、環境情報１ａを補正しても帯域方式決定部１５によって決定された組み合わせが基地局２００により選択されないと判定できる場合、当該環境情報を補正しない。
【００９２】
すなわち、品質差３によりサービングセルの受信品質と周辺のセルの受信品質との差が大きいことが判明し、当該差によって上記補正を適用しても品質の順位を入れ替えることができないと判定できる場合、情報補正部１６は当該環境情報を補正しない。
【００９３】
また、品質差３によって、スマートフォン１００が環境情報を補正して品質の順位を入れ替えても、基地局２００によって選択される帯域および通信方式のうち少なくとも一方が、サービングセルの帯域および通信方式の少なくとも一方と同一となるとき、スマートフォン１００は、当該環境情報を補正しなくともよい。
【００９４】
なお、情報補正部１６は、環境情報１ａを直接補正するのではなく、当該環境情報に関係するスマートフォン１００の内部パラメータを補正することにより、環境情報１ａを変更してもよい。
【００９５】
〔スマートフォン１００が実行する処理〕
図６に基づいて、スマートフォン１００が実行する処理の流れを説明する。図６は、スマートフォン１００が実行する処理の一例を示すフローチャートである。なお、以下の説明において、カッコ書きの「〜ステップ」は制御方法の各ステップを表す（図９および図１２においても同様である）。
【００９６】
制御部１０は、複数の基準に基づいて、帯域および通信方式の組み合わせを変更する設定が行われているか否かを判定する（ステップ１：Ｓ１のように略記する）。設定が行われていると判定される場合（Ｓ１においてＹＥＳ）、受信状況評価部１１は環境情報１ａを生成し（Ｓ２）、品質判定部１２はサービングセルの受信品質が、所定のしきい値を下回っているか否かを判定する（Ｓ３）。
【００９７】
下回っていると判定される場合（Ｓ３においてＹＥＳ）、品質差検出部１３はセル間の受信品質の差を計算する（Ｓ４）。並行して、時間判定部１４は、通信の継続時間が所定の時間を超過したか否かを判定する（Ｓ５）。
【００９８】
超過したと判定される場合（Ｓ５においてＹＥＳ）、帯域方式決定部１５は、複数の基準に基づいて、帯域および通信方式の複数の組み合わせを決定する（Ｓ６、決定ステップ）。情報補正部１６は、受信品質の差（品質差３）が補正可能な範囲内である場合（Ｓ７においてＹＥＳ）、環境情報１ａを補正する（Ｓ８、補正ステップ）。送信部４１〜４ｎは、補正後の環境情報１ｂを基地局２００に送信する（Ｓ９、送信ステップ）。
【００９９】
なお、環境情報１ｂを基地局２００に送信することによっても、所望の帯域および通信方式の組み合わせに変更できなかった場合、スマートフォン１００は、環境情報１ａの補正を解除し、当該環境情報を補正する前から通信に使用していた組み合わせの使用を継続する。
【０１００】
一方、所望の帯域および通信方式の組み合わせに変更できた場合、スマートフォン１００は、当該組み合わせの使用を維持する。そして、スマートフォン１００は、所望の動作を確認した後、環境情報１ａの補正を元に戻して正常終了し、通常の動作に復帰する。
【０１０１】
また、スマートフォン１００が実行する上記一連の処理は、複数の基準に基づいて、帯域および通信方式の組み合わせを変更する設定が行われている場合に開始する（Ｓ１）。ただし、スマートフォン１００は、電波４の環境変動が少ない安定した環境においてのみ、上記処理を実行するようにしてもよい。上記環境変動が大きい不安定な環境で上記処理を実行した場合、スマートフォン１００は不必要にハンドオーバーまたはセルリセレクションを繰り返し、通信が安定しないことがあるからである。すなわち、安定した環境においてのみ上記処理を実行することにより、スマートフォン１００は、効率的なハンドオーバーまたはセルリセレクションを実現できる。
【０１０２】
〔スマートフォン１００が奏する効果〕
スマートフォン１００は、基地局２００による帯域２ａおよび通信方式２ｂの組み合わせの選択に、当該スマートフォンの都合を反映させることができ、当該スマートフォンの状況に応じた上記組み合わせを利用可能にすることができるという効果を奏する。
【０１０３】
特に、スマートフォン１００は、同一の帯域２ａおよび通信方式２ｂの組み合わせによる通信を、所定の時間以上に継続することによって発生する問題（端末温度が上昇する）を、回避できるという効果を奏する。
【０１０４】
〔第２の実施の形態〕
図７〜図９に基づいて、本発明の第２の実施の形態を詳細に説明する。なお、本実施の形態では、前述した第１の実施の形態に追加される構成や、第１の実施の形態の構成とは異なる構成のみについて説明し、同一の構成には同一の符号を付すことにより説明を省略する。また、第１の実施の形態で記載した用語の定義は、第２の実施の形態においても同じである。
【０１０５】
さらに、第１の実施の形態に含まれる構成と第２の実施の形態に含まれる構成とは、適宜組み合わせられることに注意する。例えば、前述した「時間判定部１４」は図７に示されていないが、スマートフォン１０１（図７参照）は時間判定部１４を備えていてもよい。逆に、スマートフォン１００（図１参照）が、図７のみに示された（図１には示されていない）「電流推定部１７」を備えていてもよい。
【０１０６】
〔スマートフォン１０１の動作の概要（第１の実施の形態との相違点）〕
本実施の形態に係る通信システム３０１は、スマートフォン（通信装置）１０１と、基地局２００とを含む。なお、同一の符号が示すように、本実施の形態における基地局２００は、第１の実施の形態における基地局２００と同一でよい。
【０１０７】
図８に基づいて、スマートフォン１０１が受信品質から消費電流を推定することを説明する。図８は、端末に要求される送信電力に対する消費電流のグラフを示す。
【０１０８】
基地局２００からの受信品質と当該基地局への送信電力とは相関するため、スマートフォン１０１は環境情報１から上記送信電力の概算値を得ることができる。また、図８に示すように、送信電力の増加に伴ってスマートフォン１０１の消費電流も増加する（すなわち、送信電力および消費電流も相関する）。
【０１０９】
ただし、送信電力と消費電流とは単純な比例関係になく、消費電流は送信電力に対して非線形に増加する。両者の関係は、端末の設計等に複雑に依存するためである。したがって、環境情報１に基づく消費電流の推定は、上記設計等に関する情報が（例えば、両者の関係をルックアップテーブルとして保持する等によって）所与となる端末自身（スマートフォン１０１）にしか行えないことに注意する。
【０１１０】
第１の実施の形態と同様に、スマートフォン１０１の消費電流を評価の基準に追加した場合（すなわち、受信品質および消費電流という複数の基準で上記組み合わせを評価した場合）、通信方式Ａにしたがって帯域ａで通信を行うよりも、通信方式Ｂにしたがって帯域ｂで通信を行うことが、スマートフォン１０１にとって最適となる場合が考えられる。
【０１１１】
例えば、スマートフォン１０１が型落ちしたパワーアンプを含む送信部４１を備え、当該送信部による帯域２ａにおける通信の消費電流が、他の送信部４２〜４ｎによる他の帯域における通信の消費電流よりも、所定のしきい値を超えて大きい場合、受信品質が劣っていても消費電流を節約できる帯域２ａおよび通信方式２ｂの組み合わせが、スマートフォン１０１にとっては好ましいと考えられる。
【０１１２】
そこで、スマートフォン１０１は「許容された誤差の範囲内で任意の受信品質を報告できる」という性質（図３を参照して前述）を利用し、通信方式Ａにしたがう帯域ａにおける通信の品質よりも、通信方式Ｂにしたがう帯域ｂにおける通信の品質の方が良くなるように、上記範囲内で環境情報１ａを環境情報１ｂに補正する（図５の（ｂ）参照）。そして、スマートフォン１０１は、補正した後の環境情報１ｂを基地局２００に送信する。
【０１１３】
基地局２００は、通常どおりに受信品質のみを基準として上記組み合わせを決定するため、環境情報１ｂに基づいて、帯域ｂおよび通信方式Ｂの組み合わせを選択してスマートフォン１０１に通知する。したがって、スマートフォン１０１は、消費電流を節約できる上記組み合わせで通信を行うことができる。
【０１１４】
〔スマートフォン１０１の構成〕
図７に基づいて、スマートフォン１０１の構成を説明する。図７は、スマートフォン１０１の要部構成を示すブロック図である。
【０１１５】
電流推定部（推定手段）１７は、電波４を受信する環境に基づいて、基地局２００との通信のために消費される電流を推定する。具体的には、品質判定部１２から環境情報１ａが入力されると、電流推定部１７は前述した非線形の関係にしたがって、環境情報１ａが示す受信品質から、当該環境情報に対応する帯域および通信方式の組み合わせで通信した場合の消費電流を推定し、推定結果８を帯域方式決定部１５に出力する。
【０１１６】
帯域方式決定部（決定手段）１５は、複数の基準に基づいて、帯域２ａおよび通信方式２ｂの複数の組み合わせの中から、最適な組み合わせを決定する。
【０１１７】
例えば、帯域方式決定部１５は、電流推定部１７によって推定された電流（消費電流）を複数の基準の１つとして用いる。具体的には、電流推定部１７から電流の推定結果８が入力された場合、帯域方式決定部１５は、当該推定された電流と他の帯域および通信方式の組み合わせで通信した場合の消費電流とを比較する。
【０１１８】
前者の消費電流が後者の消費電流よりも所定のしきい値を超えて大きい場合、帯域方式決定部１５は、帯域２ａおよび通信方式２ｂの複数の組み合わせの中から、上記所定の帯域および所定の通信方式の組み合わせとは異なる帯域および通信方式の組み合わせに変更する。
【０１１９】
すなわち、特定の帯域および通信方式の組み合わせによる通信の消費電流が著しく大きい場合など、受信品質が劣っていても消費電流を節約できる帯域２ａおよび通信方式２ｂの組み合わせが、スマートフォン１０１にとっては好ましいと考えられる場合、帯域方式決定部１５は、通信に使用する帯域および通信方式の組み合わせを変更する。これは、帯域方式決定部１５が受信品質および消費電流という「複数の基準」に基づいて、上記組み合わせを決定していると言える。
【０１２０】
〔スマートフォン１０１が実行する処理〕
図９に基づいて、スマートフォン１０１が実行する処理の流れを説明する。図９は、スマートフォン１０１が実行する処理の一例を示すフローチャートである。なお、図９において、図６を参照して説明した処理と同一の処理の説明を、先と同一の符号を振ることにより省略することがある（Ｓ１、Ｓ２、Ｓ７〜Ｓ９の説明を省略した）。
【０１２１】
品質判定部１２によって、サービングセルの受信品質が所定のしきい値を下回っていると判定される場合（Ｓ３においてＹＥＳ）、品質差検出部１３はセル間の受信品質の差を計算する（Ｓ４）。並行して、電流推定部１７は、電波４を受信する環境に基づいて、基地局２００との通信のために消費される電流を推定する（Ｓ１０）。
【０１２２】
帯域方式決定部１５は、当該推定された電流と他の帯域および通信方式の組み合わせで通信した場合の消費電流とを比較し、前者の消費電流が後者の消費電流よりも所定のしきい値を超えて大きいか否かを判定する（Ｓ１１）。大きいと判定される場合（Ｓ１１においてＹＥＳ）、帯域方式決定部１５は、複数の基準に基づいて、帯域および通信方式の複数の組み合わせを決定する（Ｓ６）。
【０１２３】
〔スマートフォン１０１が奏する効果〕
スマートフォン１０１は、基地局２００による帯域２ａおよび通信方式２ｂの組み合わせの選択に、当該スマートフォンの都合を反映させることができ、当該スマートフォンの状況に応じた上記組み合わせを利用可能にすることができるという効果を奏する。
【０１２４】
特に、上記消費電流を節約できる帯域２ａおよび通信方式２ｂの組み合わせによって、基地局２００と通信することができるという効果を奏する。
【０１２５】
〔第３の実施の形態〕
図１０〜図１２に基づいて、本発明の第３の実施の形態を詳細に説明する。なお、本実施の形態では、前述した第１・２の実施の形態に追加される構成や、第１・２の実施の形態の構成とは異なる構成のみについて説明し、同一の構成には同一の符号を付すことにより説明を省略する。また、第１・２の実施の形態で記載した用語の定義は、第３の実施の形態においても同じである。
【０１２６】
さらに、第１・２の実施の形態に含まれる構成と第３の実施の形態に含まれる構成とは、適宜組み合わせられることに注意する。例えば、前述した「時間判定部１４」は図１０に示されていないが、スマートフォン１０２（図１０参照）は時間判定部１４を備えていてもよい。逆に、スマートフォン１００またはスマートフォン１０１が、図１０のみに示された（図１・７には示されていない）「評価見積部１８」または「評価統合部１９」を備えていてもよい。
【０１２７】
〔スマートフォン１０２の動作の概要（第１・２の実施の形態との相違点）〕
本実施の形態に係る通信システム３０２は、スマートフォン（通信装置）１０２と、基地局２００とを含む。なお、同一の符号が示すように、本実施の形態における基地局２００は、第１・２の実施の形態における基地局２００と同一でよい。
【０１２８】
図１１に基づいて、帯域および通信方式の組み合わせを総合的に評価することを説明する。図１１は、受信品質および消費電流という複数の基準のそれぞれで、通信方式ＡまたはＢにしたがう帯域ａまたはｂにおける通信を評価し、それぞれの評価を統合することによって、帯域および通信方式の組み合わせを総合的に評価する様子を示す模式図である。
【０１２９】
図１１に示すように、受信品質という単一の基準で帯域および通信方式の組み合わせをそれぞれ評価した場合、通信方式Ｂにしたがう帯域ｂにおける通信よりも、通信方式Ａにしたがう帯域ａにおける通信の方が高い評価を示す。
【０１３０】
しかし、スマートフォン１００の消費電流を評価の基準に追加し（すなわち、受信品質および消費電流という複数の基準で上記組み合わせを評価した場合）、複数の基準のそれぞれで評価したものを統合すると、通信方式Ａにしたがう帯域ａにおける通信よりも、通信方式Ｂにしたがう帯域ｂにおける通信の方が高い評価を示す。
【０１３１】
以下、通信方式Ａにしたがう帯域ａにおける通信の品質よりも、通信方式Ｂにしたがう帯域ｂにおける通信の品質の方が良くなるように、スマートフォン１０２が環境情報１ａを補正し、補正後の環境情報１ｂを基地局２００に送信することは、前述と同様であるため説明を省略する。
【０１３２】
〔スマートフォン１０２の構成〕
図１０に基づいて、スマートフォン１０２の構成を説明する。図１０は、スマートフォン１０２の要部構成を示すブロック図である。
【０１３３】
評価見積部（見積手段）１８は、帯域２ａおよび通信方式２ｂの複数の組み合わせのそれぞれの評価を、複数の基準に含まれるそれぞれの基準にしたがって見積る。具体的には、品質判定部１２から環境情報１ａが入力されると、評価見積部１８は所定の基準（例えば、受信品質、端末温度、消費電流など）のそれぞれにしたがって、帯域２ａおよび通信方式２ｂの組み合わせのそれぞれを評価し、当該評価６ａを評価統合部１９に出力する。
【０１３４】
評価統合部（統合手段）１９は、評価見積部１８によって見積られた評価のそれぞれを統合する。具体的には、評価見積部１８から評価６ａが入力されると、評価統合部１９は、例えばすべての基準に対する評価６ａの和を計算することによって統合し、統合後の評価６ｂを帯域方式決定部１５に出力する。あるいは、評価統合部１９は、評価見積部１８によって見積られた評価のそれぞれに重み付けを行い、重み付けられた評価のそれぞれを統合してもよい。
【０１３５】
帯域方式決定部（決定手段）１５は、評価統合部１９によって統合された結果に基づいて、帯域２ａおよび通信方式２ｂの複数の組み合わせの中から、最適な組み合わせを決定する。具体的には、評価統合部１９から統合後の評価６ｂが入力されると、帯域方式決定部１５は、評価６ｂの最も高い帯域および通信方式の組み合わせに変更する。すなわち、帯域方式決定部１５は、評価統合部１９によって統合された「複数の基準」に基づく評価を用いて上記組み合わせを決定する。
【０１３６】
〔スマートフォン１０２が実行する処理〕
図１２に基づいて、スマートフォン１０２が実行する処理の流れを説明する。図１２は、スマートフォン１０２が実行する処理の一例を示すフローチャートである。なお、図１２において、図６を参照して説明した処理と同一の処理の説明を、先と同一の符号を振ることにより省略することがある（Ｓ１、Ｓ２、Ｓ７〜Ｓ９の説明を省略した）。
【０１３７】
品質判定部１２によって、サービングセルの受信品質が所定のしきい値を下回っていると判定される場合（Ｓ３においてＹＥＳ）、評価見積部１８は、帯域２ａおよび通信方式２ｂの組み合わせのそれぞれの評価６ａを、それぞれの基準にしたがって見積る（Ｓ１２）。そして、評価統合部１９は、見積られた評価のそれぞれを統合する（Ｓ１３）。帯域方式決定部１５は、複数の基準に基づいて、帯域および通信方式の複数の組み合わせを決定する（Ｓ６）。
【０１３８】
〔スマートフォン１０２が奏する効果〕
スマートフォン１０２は、基地局２００による帯域２ａおよび通信方式２ｂの組み合わせの選択に、当該スマートフォンの都合を反映させることができ、当該スマートフォンの状況に応じた上記組み合わせを利用可能にすることができるという効果を奏する。
【０１３９】
特に、スマートフォン１０２は、当該スマートフォンのさまざまな側面（例えば、受信品質、端末温度、消費電流など）に基づいて、上記組み合わせを基地局２００に選択させることができるという効果を奏する。
【０１４０】
〔各実施の形態に含まれる構成（技術的手段）の組み合わせについて〕
繰り返すが、上述した第１〜第３の実施の形態に含まれる構成は、適宜組み合わせられることに注意する。すなわち、上記の第１〜第３実施の形態で説明したすべての構成は、当該説明に係る実施の形態のみならず、他の実施の形態においても当該構成の全部または一部を組み合わせて利用でき、それによって得られる実施の形態についても本発明の技術的範囲に含まれる。
【０１４１】
〔ソフトウェアによる実現例〕
最後に、スマートフォン１００、スマートフォン１０１、およびスマートフォン１０２の各ブロックは、集積回路（ＩＣチップ）上に形成された論理回路によってハードウェア的に実現してもよいし、ＣＰＵを用いてソフトウェア的に実現してもよい。
【０１４２】
後者の場合、スマートフォン１００、スマートフォン１０１、およびスマートフォン１０２は、各機能を実現するプログラムの命令を実行するＣＰＵ、上記プログラムを格納したＲＯＭ（Read Only Memory）、上記プログラムを展開するＲＡＭ、上記プログラムおよび各種データを格納するメモリ等の記憶装置（記録媒体）などを備える。そして、本発明の目的は、上述した機能を実現するソフトウェアであるスマートフォン１００、スマートフォン１０１、およびスマートフォン１０２の制御プログラムのプログラムコード（実行形式プログラム、中間コードプログラム、ソースプログラム）をコンピュータで読み取り可能に記録した記録媒体を、上記スマートフォン１００、スマートフォン１０１、またはスマートフォン１０２に供給し、そのコンピュータ（またはＣＰＵやＭＰＵ）が記録媒体に記録されているプログラムコードを読み出し実行することによっても達成可能である。
【０１４３】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１４４】
また、スマートフォン１００、スマートフォン１０１、およびスマートフォン１０２を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１４５】
このように、本明細書においては、手段とは必ずしも物理的手段を意味せず、各手段の機能がソフトウェアによって実現される場合も含む。また、１つの手段の機能が２つ以上の物理的手段により実現されてもよいし、２つ以上の手段の機能が１つの物理的手段により実現されてもよい。
【産業上の利用可能性】
【０１４６】
本発明は、スマートフォン、携帯電話、パーソナルコンピュータ、タブレット型端末など、一般に電波を受信する環境を示す環境情報を基地局に送信し、当該環境情報に基づいて当該基地局により選択された帯域において、当該基地局により選択された通信方式にしたがって通信する通信装置に広く適用できる。
【符号の説明】
【０１４７】
１ａ    環境情報（環境情報）
１ｂ    環境情報（環境情報）
２ａ    帯域（帯域）
２ｂ    通信方式（通信方式）
３      品質差（差）
４      電波（電波）
６ａ    評価（評価）
６ｂ    評価（評価）
１２      品質判定部（第２の判定手段）
１３      品質差検出部（検出手段）
１４      時間判定部（第１の判定手段）
１５      帯域方式決定部（決定手段）
１６      情報補正部（補正手段）
４１〜４ｎ  送信部（送信手段）
１００      スマートフォン（通信装置）
１０１      スマートフォン（通信装置）
１０２      スマートフォン（通信装置）
２００      基地局（基地局）
３００      通信システム（通信システム）
３０１      通信システム（通信システム）
３０２      通信システム（通信システム）
【図１】
2014036338.tif 000003
【図２】
2014036338.tif 000004
【図３】
2014036338.tif 000005
【図４】
2014036338.tif 000006
【図５】
2014036338.tif 000007
【図６】
2014036338.tif 000008
【図７】
2014036338.tif 000009
【図８】
2014036338.tif 000010
【図９】
2014036338.tif 000011
【図１０】
2014036338.tif 000012
【図１１】
2014036338.tif 000013
【図１２】
2014036338.tif 000014